Podtech/llm-jp-corpus-v4-ja_patent huggingface dataset:
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
対象における増殖性障害を治療するための、ＣＳＦ１Ｒに結合する抗体であって、増殖性障害が、色素性絨毛結節性滑膜炎（ＰＶＮＳ）、腱鞘の巨細胞腫（ＧＣＴＴＳ）、腱滑膜巨細胞腫（ＴＧＣＴ）、例えば、びまん性腱滑膜巨細胞腫（ｄｔＴＧＣＴ）、及びＰＶＮＳ／ｄｔＴＧＣＴから選択され、抗体が、２週間毎に１度、１−４ｍｇ／ｋｇの用量で対象に投与され、かつ抗体が：
ａ）配列番号３９の配列を含む重鎖及び配列番号４６の配列を含む軽鎖を含む抗体；
ｂ）配列番号１５の配列を有する重鎖（ＨＣ）ＣＤＲ１、配列番号１６の配列を有するＨＣ  ＣＤＲ２及び配列番号１７の配列を有するＨＣ  ＣＤＲ３を含む重鎖、並びに配列番号１８の配列を有する軽鎖（ＬＣ）ＣＤＲ１、配列番号１９の配列を有するＬＣ  ＣＤＲ２及び配列番号２０の配列を有するＬＣ  ＣＤＲ３を含む軽鎖を含む抗体；及び
ｃ）配列番号５３の配列を含む重鎖及び配列番号６０の配列を含む軽鎖を含む抗体
から選択される、抗体。
【請求項２】
色素性絨毛結節性滑膜炎（ＰＶＮＳ）、腱鞘の巨細胞腫（ＧＣＴＴＳ）、腱滑膜巨細胞腫（ＴＧＣＴ）、例えば、びまん性腱滑膜巨細胞腫（ｄｔＴＧＣＴ）、及びＰＶＮＳ／ｄｔＴＧＣＴから選択される増殖性障害を有する対象における苦痛を軽減するための、ＣＳＦ１Ｒに結合する抗体であって、抗体が、２週間毎に１度、１−４ｍｇ／ｋｇの用量で対象に投与され、かつ抗体が：
ａ）配列番号３９の配列を含む重鎖及び配列番号４６の配列を含む軽鎖を含む抗体；
ｂ）配列番号１５の配列を有する重鎖（ＨＣ）ＣＤＲ１、配列番号１６の配列を有するＨＣ  ＣＤＲ２及び配列番号１７の配列を有するＨＣ  ＣＤＲ３を含む重鎖、並びに配列番号１８の配列を有する軽鎖（ＬＣ）ＣＤＲ１、配列番号１９の配列を有するＬＣ  ＣＤＲ２及び配列番号２０の配列を有するＬＣ  ＣＤＲ３を含む軽鎖を含む抗体；及び
ｃ）配列番号５３の配列を含む重鎖及び配列番号６０の配列を含む軽鎖を含む抗体
から選択される、抗体。
【請求項３】
増殖性障害がＰＶＮＳである、請求項１又は２に記載の抗体。
【請求項４】
腫瘍反応と独立に、ＰＶＮＳ対象における苦痛を軽減することができる、請求項３に記載の抗体。
【請求項５】
抗ＣＳＦ１Ｒ抗体が、ＣＳＦ１及び／又はＩＬ−３４のＣＳＦ１Ｒへの結合を遮断する、請求項１から４の何れか一項に記載の抗体。
【請求項６】
抗ＣＳＦ１Ｒ抗体が、リガンド誘導性ＣＳＦ１Ｒリン酸化をインビトロで阻害する、請求項１から５の何れか一項に記載の抗体。
【請求項７】
抗体がヒト化抗体である、請求項１から６の何れか一項に記載の抗体。
【請求項８】
抗体がｈｕＡｂ１である、請求項７に記載の抗体。
【請求項９】
抗体が、Ｆａｂ、Ｆｖ、ｓｃＦｖ、Ｆａｂ’、及び（Ｆａｂ’）２から選択される、請求項１から８の何れか一項に記載の抗体。。
【請求項１０】
対象がＰＶＮＳを有し、かつＰＶＮＳの腫瘍体積が、ＣＳＦ１Ｒに結合する抗体の少なくとも２用量、少なくとも３用量、少なくとも４用量、少なくとも５用量、少なくとも６用量、少なくとも７用量、少なくとも８用量、少なくとも９用量又は少なくとも１０用量の投与後に、少なくとも３０％又は少なくとも４０％又は少なくとも５０％又は少なくとも６０％又は少なくとも７０％低減される、請求項１又は５〜９の何れか一項に記載の抗体。
【請求項１１】
ＰＶＮＳの腫瘍体積が、ＣＳＦ１Ｒに結合する抗体の少なくとも２用量、少なくとも３用量、少なくとも４用量、少なくとも５用量、少なくとも６用量、少なくとも７用量、少なくとも８用量、少なくとも９用量又は少なくとも１０用量の投与後に、少なくとも５０％低減される、請求項１０に記載の抗体。
【請求項１２】
ＰＶＮＳの腫瘍体積が、ＣＳＦ１Ｒに結合する抗体の少なくとも２用量、少なくとも３用量、少なくとも４用量、少なくとも５用量、少なくとも６用量、少なくとも７用量、少なくとも８用量、少なくとも９用量又は少なくとも１０用量の投与後に、少なくとも７０％低減される、請求項１０に記載の抗体。
【請求項１３】
腫瘍体積が、単一関節における腫瘍体積である、請求項１０、１１、又は１２に記載の抗体。
【請求項１４】
単一関節が、股関節及び膝関節から選択される、請求項１３に記載の抗体。
【請求項１５】
腫瘍体積が、ＰＶＮＳによって影響を受ける全ての関節の総腫瘍体積である、請求項１０、１１、又は１２に記載の抗体。
【請求項１６】
被験体に初回用量の抗体を投与する前に、被験体が、外科的滑膜切除術、放射線ビーム治療、放射性同位体滑膜切除術、及び関節置換から選択される第１の治療を受けた、請求項１から１５の何れか一項に記載の抗体。
【請求項１７】
増殖性障害が、第１の治療の後に再発又は進行した、請求項１５に記載の抗体。
【請求項１８】
抗体が、外科的滑膜切除術、放射線ビーム治療、放射性同位体滑膜切除術、及び関節置換から選択される治療の前に投与される、又は腫瘍が、切除不能である、請求項１から１７の何れか一項に記載の抗体。
【請求項１９】
被験体が、ＣＳＦ１Ｒ阻害剤による前治療を受けていない、請求項１から１８の何れか一項に記載の抗体。
【請求項２０】
被験体が、ＣＳＦ１Ｒ阻害剤による前治療を受けている、請求項１から１８の何れか一項に記載の抗体。
【請求項２１】
ＣＳＦ１Ｒ阻害剤が、ＰＬＸ３３９７、イマチニブ、又はニロチニブなどのＣＳＦ１Ｒキナーゼ阻害剤である、請求項２０に記載の抗体。
【請求項２２】
被験体が、少なくとも１用量の抗体の投与後に、（ａ）関節痛の軽減、（ｂ）関節の動きの範囲の増加、及び（ｃ）関節の機能的能力の増加の少なくとも一を経験する、請求項１から２１の何れか一項に記載の抗体。
【請求項２３】
増殖性障害が、ＰＶＮＳであり、抗体の用量が、ＰＶＮＳ対象における苦痛を、ＰＶＮＳについてのＯｇｉｌｖｉｅ  Ｈａｒｒｉｓスコアに照らし、重篤（０ポイント）からなし（３ポイント）に軽減することができる、請求項２から２２の何れか一項に記載の抗体。
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
患者の画像を生成するイメージングデバイスであって、前記イメージングデバイスは、
赤外スペクトル内の波長帯域を第１の波長帯域として使用して前記患者の第１の画像情報を提供し、可視スペクトル内の波長帯域を第２の波長帯域として使用して前記患者の第２の画像情報を提供するカメラ装置であって、前記第１の画像情報及び／又は前記第２の画像情報は、血管又は前記患者の皮膚内の他の表面組織構造のランドマーク情報を自然マーカとして含む、前記カメラ装置と、
前記第１の画像情報及び前記第２の画像情報に基づいて、前記自然マーカを所定の閾値を上回るコントラストで示す融合画像を生成し、前記融合画像内の前記自然マーカを検出するデータプロセッサと、
を含む、イメージングデバイス。
【請求項２】
前記カメラ装置は、前記第１の画像情報を、前記患者に対して第１の位置において記録し、また、前記第２の画像情報を、前記患者に対して第２の位置において記録する、請求項１に記載のイメージングデバイス。
【請求項３】
前記カメラ装置は、前記第１の画像情報及び前記第２の画像情報の両方を提供するマルチスペクトルカメラデバイスを含む、請求項１又は２に記載のイメージングデバイス。
【請求項４】
前記カメラ装置は、前記第１の画像情報を提供する第１のカメラデバイスと、前記第２の画像情報を提供する第２のカメラデバイスとを含み、
前記第１のカメラデバイスは、前記第１の位置において前記第１の画像情報を記録し、前記第２のカメラデバイスは、前記第２の位置において前記第２の画像情報を記録する、請求項２に記載のイメージングデバイス。
【請求項５】
前記カメラ装置は、前記第１の画像情報を記録するために、１０ｎｍの帯域幅を有する８３８ｎｍのフィルタを使用する、請求項１乃至４の何れか一項に記載のイメージングデバイス。
【請求項６】
前記カメラ装置は、前記第２の画像情報を記録するために、１０ｎｍの帯域幅を有する４８２ｎｍのフィルタを使用する、請求項１乃至５の何れか一項に記載のイメージングデバイス。
【請求項７】
前記データプロセッサは、前記自然マーカから、構造の３次元モデルを生成する、請求項１乃至６の何れか一項に記載のイメージングデバイス。
【請求項８】
前記融合画像を表示する表示デバイスを更に含む、請求項１乃至７の何れか一項に記載のイメージングデバイス。
【請求項９】
前記カメラ装置による連続記録と、前記データプロセッサによる前記融合画像の連続生成とに基づいて、前記患者の動きを検出し、融合動画データストリームがもたらされる、請求項１乃至８の何れか一項に記載のイメージングデバイス。
【請求項１０】
請求項１乃至９の何れか一項に記載のイメージングデバイスと、
前記融合画像を表示する表示デバイスと、
前記患者のＸ線画像情報を提供するＸ線デバイスと、
を含み、
前記データプロセッサは、前記第１の画像情報と、前記第２の画像情報と、前記Ｘ線画像情報とに基づいて、前記融合画像を生成する、医用イメージングシステム。
【請求項１１】
患者の画像を生成する方法であって、
ａ）カメラ装置が、赤外スペクトル内の第１の波長帯域を使用して、前記患者の第１の画像情報を提供するステップと、
ｂ）前記カメラ装置が、可視スペクトル内の第２の波長帯域を使用して、前記患者の第２の画像情報を提供するステップと、を含み、
前記第１の画像情報及び／又は前記第２の画像情報は、血管又は前記患者の皮膚内の他の表面組織構造のランドマーク情報を前記自然マーカとして含み、
ｃ）データプロセッサが、前記第１の画像情報と、前記第２の画像情報とに基づいて、所定閾値を上回るコントラストで自然マーカを示す融合画像を生成し、前記融合画像内の前記自然マーカを検出するステップを含む、
方法。
【請求項１２】
処理ユニットによって実行されると請求項１１に記載の方法のステップを実施する請求項１乃至９の何れか一項に記載のイメージングデバイス又は請求項１０に記載の医用イメージングシステムを制御するための、コンピュータプログラム。
【請求項１３】
請求項１２に記載のコンピュータプログラムを記憶したコンピュータ可読媒体。
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
患者への物理インターフェースから得られるサンプルガス流についての選択されたガスの濃度を、プロセッサによって受け取られたセンサ情報から検出すること、
サンプリング時間中の前記サンプルガス流内の前記選択されたガスの検出された濃度に各々が対応する複数のデータ点を含むデータセットを形成すること、
前記サンプリング時間内の前記データ点の出現頻度に応じて前記データ点をグループ分けすること、及び
前記データ点のグループ間の相対的な特徴に基づいて前記サンプリング時間に対する信号信頼度及び信号品質のうちの少なくとも一方を判定すること
を行う当該プロセッサ
を含む、ガス濃度監視システム。
【請求項２】
前記プロセッサは、前記選択されたガスの異なる濃度範囲にそれぞれのグループ分けが対応するように、前記データ点をグループ分けする、請求項１に記載のガス濃度監視システム。
【請求項３】
前記プロセッサは、前記データ点のグループ内に存在する相対的なデータ点の数に基づいて、前記信号信頼度及び信号品質のうちの少なくとも一方を判定する、請求項１に記載のガス濃度監視システム。
【請求項４】
前記プロセッサに結合されたレンダリングデバイスをさらに含み、前記プロセッサは、前記データ点のグループをヒストグラムとして前記レンダリングデバイス上にレンダリングする、請求項１に記載のガス濃度監視システム。
【請求項５】
前記プロセッサは、前記データ点のグループの中で最も大きいデータ点の数及び次に大きいデータ点の数を有する２つのデータ点のグループを識別する、請求項１に記載のガス濃度監視システム。
【請求項６】
前記プロセッサは、前記２つのデータ点のグループ間の複数のデータ点を判定し、判定された前記データ点の数に基づいて、前記信号信頼度及び信号品質のうちの少なくとも一方を判定する、請求項５に記載のガス濃度監視システム。
【請求項７】
前記サンプリング時間の間隔は、少なくとも複数の呼吸周期を含み、各呼吸周期は、吸気相及び呼気相又は少なくとも２０秒の期間のうちの、どちらか先に生じたと判定された方を含む、請求項１に記載のガス濃度監視システム。
【請求項８】
前記物理インターフェースが、前記患者に結合する鼻カニューレ又はマスクを含む、請求項１に記載のガス濃度監視システム。
【請求項９】
前記患者による吸入のために前記物理インターフェースに換気混合ガスを提供するように前記プロセッサによって制御される空気圧システムをさらに含む、請求項１に記載のガス濃度監視システム。
【請求項１０】
患者への物理インターフェースから得られるサンプルガス流内の選択されたガスの濃度を検出するステップ、
サンプリング時間中の前記サンプルガス流内の前記選択されたガスの検出された濃度にそれぞれ対応する複数のデータ点を含むデータセットを形成するステップ、
前記サンプリング時間内の前記データ点の出現頻度に応じて前記データ点をグループ分けするステップ、及び
前記データ点のグループ間の相対的な特徴に基づいて前記サンプリング時間に対する信号信頼度及び信号品質のうちの少なくとも一方を判定するステップ
を含む、方法。
【請求項１１】
前記データ点をグループ分けする前記ステップは、前記選択されたガスの異なる濃度範囲に基づいて前記データ点をグループ分けするステップを含む、請求項１０に記載の方法。
【請求項１２】
前記信号信頼度及び信号品質のうちの少なくとも一方を判定する前記ステップは、前記データ点のグループ内に存在する相対的なデータ点の数を判定するステップを含む、請求項１０に記載の方法。
【請求項１３】
前記データ点のグループをヒストグラムとしてレンダリングデバイス上にレンダリングするステップを含む、請求項１０に記載の方法。
【請求項１４】
前記データ点のグループの中で最も大きいデータ点の数及び次に大きいデータ点の数を有する２つのデータ点のグループを識別するステップを含む、請求項１０に記載の方法。
【請求項１５】
カプノグラフィ信号を監視する方法を実行するようにコンピュータ上で動作するコンピュータ可読プログラムコードを有するコンピュータ可読非一時的媒体であって、前記方法は、
患者への物理インターフェースから得られるサンプルガス流についての選択されたガスの濃度をセンサ情報から検出するステップ、
サンプリング時間中の前記サンプルガス流内の前記選択されたガスの検出された濃度に各々が対応する複数のデータ点を含むデータセットを形成するステップ、
前記サンプリング時間内の前記データ点の出現頻度に応じて前記データ点をグループ分けするステップ、及び
前記データ点のグループ間の相対的な特徴に基づいて前記サンプリング時間に対する信号信頼度及び信号品質のうちの少なくとも一方を判定するステップ
を含む、コンピュータ可読非一時的媒体。
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
患者に補助酸素を提供するためのシステムで使用するためのカプノグラフィシステムであって、
前記患者に対する物理インターフェースからサンプルガス流を得ることと、
サンプリング時間間隔中に、前記サンプルガス流に沿ったサンプルガス差圧及び／又はサンプルガス流量の、前記患者の各呼吸周期にわたる変化を判定することと、
前記変化、又は前記サンプルガス流量の変化と前記サンプルガス差圧の変化との間の比が、対応する閾値以上であるかどうかを判定することと、
前記変化、又は前記比が前記閾値以上であると判定された場合、前記患者に補助酸素が提供されていると判定し、そうでない場合、補助酸素が提供されていないと判定することと、
補助酸素が提供されているかどうかの前記判定の結果をレンダリングすることと、
を行うコントローラ
を含む、カプノグラフィシステム。
【請求項２】
前記コントローラは、補助酸素が提供されていると判定したかどうかを示すメッセージをレンダリングする、請求項１に記載のカプノグラフィシステム。
【請求項３】
前記コントローラは、補助酸素が提供されておらず、１つ又は複数の患者状態が、補助酸素が推奨されることを示すと判定された場合、補助酸素が推奨されることを示す第１のメッセージをレンダリングし、補助酸素が提供されており、前記１つ又は複数の患者状態が、補助酸素が推奨されないことを示すと判定された場合、補助酸素が推奨されないことを示す第２のメッセージをレンダリングする、請求項１に記載のカプノグラフィシステム。
【請求項４】
前記コントローラは、前記コントローラが前記第１のメッセージ及び前記第２のメッセージのうちの少なくとも一方をレンダリングする場合、警報メッセージである第３のメッセージをレンダリングする、請求項３に記載のカプノグラフィシステム。
【請求項５】
前記カプノグラフィシステムは、前記コントローラに結合されたレンダリング部を含み、前記コントローラは、前記レンダリング部を使用してメッセージをレンダリングする、請求項１乃至４の何れか一項に記載のカプノグラフィシステム。
【請求項６】
前記カプノグラフィシステムは、前記物理インターフェースに流体的に結合された流量制限器を含み、前記コントローラは、前記流量制限器間の差圧から、前記流量制限器を通る前記サンプルガス流量を取得する、請求項１に記載のカプノグラフィシステム。
【請求項７】
前記コントローラは、前記サンプルガス流量の変化と前記サンプルガス差圧の変化との間の前記比を判定する、請求項１に記載のカプノグラフィシステム。
【請求項８】
前記コントローラは、前記サンプルガス流内の二酸化炭素ガスの濃度及び分圧のうちの少なくとも一方を判定し、レンダリングする、請求項１に記載のカプノグラフィシステム。
【請求項９】
ユーザによる吸入のために、補助酸素を含む換気ガスを前記物理インターフェースに提供する空気圧システムを含む、請求項１乃至８の何れか一項に記載のカプノグラフィシステム。
【請求項１０】
前記コントローラは、前記サンプリング時間間隔中に、前記サンプルガス流に沿った前記サンプルガス差圧及び／又は前記サンプルガス流量のグラフをレンダリングする、請求項５に記載のカプノグラフィシステム。
【請求項１１】
患者に補助酸素を提供するためのシステムによって実行されるカプノグラフィの方法であって、
前記患者に対する物理インターフェースからサンプルガス流を得るステップと、
サンプリング時間間隔中に、前記サンプルガス流に沿ったサンプルガス差圧及び／又はサンプルガス流量の、前記患者の各呼吸周期にわたる変化を判定するステップと、
前記変化、又は前記サンプルガス流量の変化と前記サンプルガス差圧の変化との間の比が、対応する閾値以上であるかどうかを判定するステップと、
前記変化、又は前記比が前記閾値以上であると判定された場合、前記患者に補助酸素が提供されていると判定し、そうでない場合、補助酸素が提供されていないと判定するステップと、
補助酸素が提供されているかどうかの前記判定の結果をレンダリングするステップと、
を含む、方法。
【請求項１２】
前記患者に補助酸素が提供されていると判定したかどうかを示すメッセージをレンダリングするステップを含む、請求項１１に記載の方法。
【請求項１３】
１つ又は複数の前記患者の状態が、補助酸素が推奨されることを示すかどうかを判定するステップと、
補助酸素が提供されておらず、前記１つ又は複数の患者の状態が、補助酸素が推奨されることを示すと判定された場合、補助酸素が推奨されることを示す第１のメッセージをレンダリングするステップと、
補助酸素が提供されており、前記１つ又は複数の患者の状態が、補助酸素が推奨されないことを示すと判定された場合、補助酸素が推奨されないことを示す第２のメッセージをレンダリングするステップと
を含む、請求項１１に記載の方法。
【請求項１４】
前記第１のメッセージ及び前記第２のメッセージのうちの少なくとも一方をレンダリングする場合、警報メッセージである第３のメッセージをレンダリングするステップを含む、請求項１３に記載の方法。
【請求項１５】
前記サンプルガス流量の変化と前記サンプルガス差圧の変化との間の前記比を判定するステップを含む、請求項１３に記載の方法。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
患者の血管の治療を計画するためのシステムであって、
前記患者の血管に導入するための寸法及び形状を持つ第１及び第２器具と、
前記第１及び第２器具と通信する処理システムと、
を有し、前記処理システムは、
診断手順の間に、前記患者の血管内に位置される前記第１及び第２器具から圧力測定値を取得し、
第１視覚化装置上に、血管の画像を、取得された前記圧力測定値に基づく治療診断視覚化情報と共に表示し、
第２視覚化装置上に、血管の関心領域のクローズアップである該血管の一部を、前記取得された圧力測定値に基づく診断視覚化情報と共に表示し、
第１治療オプションをシミュレーションし、該第１治療オプションのシミュレーションは、該第１治療オプションの予測される結果に基づいて前記診断視覚化情報を修正することを含む、
システム。
【請求項２】
前記第１及び第２視覚化装置が、識別された治療オプションに関連する１以上の治療装置の配置を誘導するために使用される、請求項１に記載のシステム。
【請求項３】
前記第２視覚化装置が、タッチスクリーンを有する、請求項１に記載のシステム。
【請求項４】
前記第２視覚化装置上に表示される画像が、第１視覚化装置上に表示される画像よりも高い倍率におけるものである、請求項１に記載のシステム。
【請求項５】
前記第２視覚化装置は前記第１視覚化装置より高い倍率が可能である、請求項１に記載のシステム。
【請求項６】
前記血管の画像が血管外画像を有する、請求項１に記載のシステム。
【請求項７】
前記血管外画像が、二次元血管造影画像、三次元血管造影画像及びコンピュータトモグラフィ血管造影（ＣＴＡ）画像のうちの少なくとも１つである、請求項６に記載のシステム。
【請求項８】
前記血管の画像が血管内画像を有する、請求項１に記載のシステム。
【請求項９】
前記血管内画像が、血管内超音波（ＩＶＵＳ）画像及び光干渉断層撮影（ＯＣＴ）画像のうちの少なくとも１つである、請求項８に記載のシステム。
【請求項１０】
前記診断視覚化情報が、前記第１器具からの圧力測定値、前記第２器具からの圧力測定値、前記第１及び第２器具からの圧力測定値の比、ＦＦＲ値、又は、ｉＦＲ値のうちの少なくとも１つを含む、請求項１に記載のシステム。
【請求項１１】
前記診断視覚化情報が、前記第１及び第２器具から取得された圧力測定値の圧力比の変化に基づく輝度マップを含む、請求項１に記載のシステム。
【請求項１２】
前記診断視覚化情報が、前記第１及び第２器具から取得された圧力測定値の圧力比の勾配のグラフを含む、請求項１に記載のシステム。
【請求項１３】
更に、第２治療オプションをシミュレーションし、ここで、該第２治療オプションのシミュレーションは、該第２治療オプションの予測される結果に基づいて前記診断視覚化情報を修正することを含み、
前記第１及び第２治療オプションに関連する前記修正された診断視覚化情報を比較して、推奨される治療オプションを識別する、
請求項１に記載のシステム。
【請求項１４】
前記第１及び第２治療オプションが、血管形成の実行、１以上のステントの留置、薬剤の投与、及びこれらの組み合わせからなる群から選択される、請求項１３に記載のシステム。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
繊維構造を分裂するための装置であって：
近位端、遠位端、及びそれらの間に延伸するルーメンを持つカテーテル；
膨張状態と収縮状態との間で付勢することが出来るように、カテーテルの遠位端の近くに配されるとともに、カテーテルのルーメンと流体連通下にある、拡張自在な部材；及び
繊維構造をもろくする又は切断し、その結果繊維構造の分裂をもたらすために、拡張自在な部材の外面に位置付けられる切断要素
を含む装置。
【請求項２】
拡張自在な部材はバルーンである、ことを特徴とする請求項１に記載の装置。
【請求項３】
拡張自在な部材は長方形の横断面形状を持つ、ことを特徴とする請求項１に記載の装置。
【請求項４】
拡張自在な部材は長方形の縦断面を持つ、ことを特徴とする請求項１に記載の装置。
【請求項５】
拡張自在な部材は、繊維構造に接触し、外側に広がることで切断要素にわたって繊維構造を伸ばすように構成される、ことを特徴とする請求項１に記載の装置。
【請求項６】
切断要素は、拡張自在な部材の長手寸法に沿って位置付けられる、ことを特徴とする請求項５に記載の装置。
【請求項７】
拡張自在な部材は、切断要素に対して実質的に横の方向に繊維構造を伸ばすように放射状に拡張する、ことを特徴とする請求項６に記載の装置。
【請求項８】
切断要素は、繊維組織をもろくする又は切断するために機械的な力を加えるように構成される、ことを特徴とする請求項１に記載の装置。
【請求項９】
切断要素は刃である、ことを特徴とする請求項８に記載の装置。
【請求項１０】
切断要素は、繊維組織をもろくする又は切断するために、電気又は熱エネルギーを放出するように構成される、ことを特徴とする請求項１に記載の装置。
【請求項１１】
切断要素は、単極リード又は双極リードを含む、ことを特徴とする請求項１０に記載の装置。
【請求項１２】
切断要素は電気メスリードである、ことを特徴とする請求項１１に記載の装置。
【請求項１３】
電気メスリードは、三角形状の電気メスリードのリーディングエッジに繊維構造を接触させるように、実質的に三角形状で構成される、ことを特徴とする請求項１１に記載の装置。
【請求項１４】
拡張自在な部材の外面に配される、
近くの神経における神経電気活性を検出するように構成された感知要素、
近くの神経における神経電気活性を刺激するように構成された刺激要素、及び
近くの神経における神経電気活性を検出且つ刺激するために構成された要素
の少なくとも１つを更に含む、請求項１に記載の装置。
【請求項１５】
少なくとも１つの要素は、近くの神経に関連する繊維構造に沿った装置の配置及び配向の少なくとも１つを促す、ことを特徴とする請求項１４に記載の装置。
【請求項１６】
少なくとも１つの要素は、近くの神経における神経電気活性を検出するように構成された感知要素を含む、ことを特徴とする請求項１４に記載の装置。
【請求項１７】
少なくとも１つの要素は、近くの神経における神経電気活性を刺激するように構成された刺激要素を含む、ことを特徴とする請求項１４に記載の装置。
【請求項１８】
刺激された神経電気活性は、患者に刺激を感じさせ、及び／又は対応する運動反応を提示させる、ことを特徴とする請求項１７に記載の装置。
【請求項１９】
少なくとも１つの要素は、感知要素及び別個の刺激要素を含む、ことを特徴とする請求項１４に記載の装置。
【請求項２０】
少なくとも１つの要素は切断要素に近接して配される、ことを特徴とする請求項１４に記載の装置。
【請求項２１】
少なくとも１つの要素は、拡張自在な部材の、切断要素とは反対の面に配される、ことを特徴とする請求項１４に記載の装置。
【請求項２２】
切断要素に近接する拡張自在な部材の長さに沿って位置付けられる１以上の照明要素を更に含む、請求項１に記載の装置。
【請求項２３】
１以上の照明要素により放出される光の明るさ及び波長は、光が皮下組織及び皮膚を介して視認でき、及び繊維壁を介して視認できない又は著しく低い明るさで視認できるように、構成され得る、ことを特徴とする請求項２２に記載の装置。
【請求項２４】
手根管症候群を処置するシステムであって：
手根管に挿入するための針；
針に通して、横手根靭帯付近の場所に向けるためのガイドワイヤー；
（ｉ）横手根靭帯を延ばすように構成される拡張自在な部材及び（ｉｉ）拡張自在な部材の外面に位置する切断要素を持つ装置であって、拡張自在な部材は、繊維構造を分裂するために繊維構造に切断要素を押しつけるための膨張状態へと付勢されるように構成される、装置；
を含む、システム。
【請求項２５】
ガイドワイヤーは、ガイドワイヤーの遠位端を皮膚に通して身体から出るよう進ませるために構成される、請求項２４に記載のシステム。
【請求項２６】
結果として生じるガイドワイヤーの配置は、進ませることを促進するのに優れたカラムの強度を提供する、ことを特徴とする請求項２５に記載のシステム。
【請求項２７】
横手根靭帯に対する切断要素の配置を評価するために装置から横手根靭帯の方に光を放つための１以上の光源を更に含む、ことを特徴とする請求項２４に記載のシステム。
【請求項２８】
装置から横手根靭帯の方に光を放つことは、横手根靭帯の分裂の完全性を評価するために行われる、ことを特徴とする請求項２７に記載のシステム。
【請求項２９】
超音波イメージング装置を更に含む、請求項２４に記載のシステム。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
軟骨修復のための移植片足場を提供する方法であって、以下の工程：
−  ゲル化多糖類の水溶液を提供すること；
−  以下の
粒子及び／又は線維；及び
哺乳動物細胞；
の少なくとも１つを提供すること；
−  前記ゲル化多糖類の水溶液、前記粒子及び／又は線維、及び／又は前記哺乳動物細胞
を混合して印刷ミックスを得ること；
−  前記印刷ミックスを三次元形態で沈着させること
を含み、
前記ゲル化多糖類がジェランガム、アシル化及び／又は硫酸化ジェランガムであり、かつ
前記ゲル化多糖類の溶液が、アルギン酸塩、硫酸アルギン酸塩、硫酸化ジェラン、カラギーナン、硫酸カラギーナン、グアーガム、カッシアガム、コンニャクガム、アラビアゴム、ガッティガム、ローカストビーンガム、キサンタンガム、硫酸キサンタンガム、ヘパリン、線維素、ヘパリン硫酸、エラスチン、トロポエラスチン、コンドロイチン硫酸、デルマタン硫酸、ヒアルロン酸、硫酸化ヒアルロナン、セルロース、デキストラン、硫酸デキストラン、ポリ−ｌ−リジン、キトサン、シルク及びコラーゲンからなる群から選択される細胞適合性ポリマーを含む、
前記移植片足場を提供する方法。
【請求項２】
前記細胞適合性ポリマーがアルギン酸塩である、請求項１に記載の方法。
【請求項３】
前記ゲル化多糖類の水溶液が、１０〜１５０ｍｍｏｌ／ｌの間の二価イオンをさらに含む、請求項１〜２のいずれか一項に記載の方法。
【請求項４】
哺乳動物細胞と粒子及び線維の少なくとも１つとの両方は、前記印刷ミックスを得るために提供される、請求項１〜３のいずれか一項に記載の方法。
【請求項５】
前記ゲル化多糖類の溶液は、単糖類又は二糖類を生理的オスモル濃度で含む、請求項１〜４のいずれか一項に記載の方法。
【請求項６】
増殖因子及び／又は分裂促進因子は、印刷ミックス内に提供される、請求項１〜５のいずれか一項に記載の方法。
【請求項７】
前記増殖因子及び／又は分裂促進因子は、ＢＭＰ−２、ＢＭＰ−７、ＴＧＦ−β１、ＴＧＦ−β２、ＴＧＦ−β３、ＦＧＦ−２、及び／又はＩＧＦ−１から選択される、請求項６に記載の方法。
【請求項８】
前記増殖因子の濃度は、０．１〜５ｎｇ／ｍｌ、５〜５０ｎｇ／ｍｌ又は５０〜５００ｎｇ／ｍｌである、請求項６又は７に記載の方法。
【請求項９】
前記哺乳動物細胞は、軟骨細胞、軟骨幹細胞又は軟骨前駆細胞である、請求項１〜８のいずれか一項に記載の方法。
【請求項１０】
前記哺乳動物細胞は、３×１０６細胞／ｍｌ〜５０×１０６細胞／ｍｌの濃度で存在する、請求項１〜９のいずれか一項に記載の方法。
【請求項１１】
前記印刷ミックスは、１０ｎｇ／ｍｌのＴＧＦベータ３を含む、請求項１〜１０のいずれか一項に記載の方法。
【請求項１２】
前記印刷ミックスの三次元形態への沈着は、該印刷ミックスのラインの沈着により行われ、ここで各ラインは、７００〜１１００μｍの幅を有し、且つ該ラインは２０％〜６０％重複する、請求項１〜１１のいずれか一項に記載の方法。
【請求項１３】
前記三次元形態は、３−Ｄ−印刷法により誘導される、請求項１〜１２のいずれか一項に記載の方法。
【請求項１４】
前記三次元形態は、積層造形方法により誘導される、請求項１〜１２のいずれか一項に記載の方法。
【請求項１５】
前記積層造形方法は、インクジェット印刷、バイオプリンティング、押出印刷又は積層方法である、請求項１４に記載の方法。
【請求項１６】
前記請求項１〜１５のいずれか一項に記載の方法により得られる移植片足場。
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
データアナライザによって非侵襲的に瞬時ウェーブフリー比メトリックを決定する方法であって、
心拡張期のウェーブフリー期間中にイメージングシステムによって生成される電子フォーマット化された画像データを受信するステップであって、前記画像データは、狭窄を有する血管を表す強度をもつボクセルを有する、ステップと、
前記画像データから、前記血管の出口の周辺抵抗を計算するステップと、
境界条件の組及び数値流体力学アルゴリズム並びに前記周辺抵抗に基づいて、前記血管の入口と前記血管の出口との間の狭窄の狭窄抵抗を計算するステップと、
前記狭窄抵抗に基づく数値である前記瞬時ウェーブフリー比メトリックを計算し、計算された前記瞬時ウェーブフリー比メトリックを示す信号を生成するステップと、
を含む方法。
【請求項２】
前記画像データから前記血管をセグメント化するステップと、
前記セグメント化された画像データから、前記血管の出口の血管直径を決定するステップと、
前記セグメント化された画像データから主冠動脈分岐の分岐直径を決定するステップと、
機械学習を使用して主冠動脈分岐の分岐抵抗を算出するステップと、
を更に含み、前記周辺抵抗が、前記血管直径、前記分岐直径、及び前記分岐抵抗に基づいて計算される、請求項１に記載の方法。
【請求項３】
前記周辺抵抗が、前記血管直径の前記分岐直径に対する比によってスケーリングされる前記分岐抵抗として計算される、請求項２に記載の方法。
【請求項４】
前記周辺抵抗が、前記血管直径の前記分岐直径に対する比の３乗根によってスケーリングされる分岐抵抗として計算される、請求項３に記載の方法。
【請求項５】
前記境界条件の組が、前記血管の入口における圧力及び前記血管の出口における速度を含む、請求項１乃至４のいずれか１項に記載の方法。
【請求項６】
前記数値流体力学アルゴリズムが、入力パラメータとして、前記入口における圧力及び前記出口における速度を使用して、前記血管の出口において算定される圧力を計算する、請求項５に記載の方法。
【請求項７】
前記狭窄抵抗を計算する前記ステップが、
前記境界条件を初期化し、
前記出口において算定される圧力を計算するために、前記境界条件を使用して前記数値流体力学アルゴリズムを実施し、
更新された狭窄抵抗を算出し、
前記更新された狭窄抵抗が予め決められた停止基準を満たさないことに応じて、２回目の反復を実施すること、
によって、前記狭窄抵抗を反復的に計算することを含む、請求項６に記載の方法。
【請求項８】
前記予め決められた停止基準は、以前の狭窄抵抗と現在の狭窄抵抗との間の残差平方和を最小にすることを含む、請求項７に記載の方法。
【請求項９】
前記２回目の反復が、
前記更新された狭窄抵抗に基づいて前記出口における更新された速度を計算するステップと、
前記入口における圧力及び前記出口における更新された速度を使用して数値流体力学アルゴリズムを実施するステップと、
第２の更新された狭窄抵抗を算出するステップと、
前記第２の更新された狭窄抵抗が前記予め決められた停止基準を満たさないことに応じて、別の反復を実施するステップと、
を含む、請求項７又は８に記載の方法。
【請求項１０】
前記更新された狭窄抵抗が前記予め決められた停止基準を満たすことに応じて、前記狭窄抵抗に基づいて前記瞬時ウェーブフリー比メトリックを計算するステップを更に含む、請求項７乃至９のいずれか１項に記載の方法。
【請求項１１】
前記メトリックが予め決められた閾値より大きいか又小さいかを示す分類信号を生成するステップを更に含み、前記閾値以上のメトリック値は、第１の狭窄レベルを示し、前記閾値以下のメトリック値は、第２の狭窄レベルを示し、前記第１の狭窄レベルは、前記第２の狭窄レベルより深刻である、請求項１乃至１０のいずれか１項に記載の方法。
【請求項１２】
非侵襲的に瞬時ウェーブフリー比メトリックを決定するシステムであって、
心拡張期のウェーブフリー期間中にイメージングシステムによって生成される画像データから前記血管の出口の周辺抵抗を計算するパラメータ決定器であって、前記画像データは、狭窄を有する血管を表す強度をもつボクセルを有する、パラメータ決定器と、
境界条件の組及び数値流体力学アルゴリズムの結果並びに前記周辺抵抗に基づいて、血管の入口と前記血管の出口との間の前記血管の狭窄の狭窄抵抗を計算する狭窄抵抗決定器と、
前記狭窄抵抗に基づく数値である前記瞬時ウェーブフリー比率メトリックを計算し、前記計算された瞬時ウェーブフリー比メトリックを示す信号を生成するｉＦＲ決定器と、
を有するシステム。
【請求項１３】
前記画像データにおいて前記血管を識別する関心組織識別器と、
前記画像データから前記血管の出口の血管直径と、主冠動脈分岐の分岐直径とを決定し、機械学習を使用して主冠動脈分岐の分岐抵抗を決定する関心組織ジオメトリ抽出器と、を更に有し、
前記パラメータ決定器が、前記血管直径、前記分岐直径及び前記分岐抵抗に基づいて、前記画像データから前記血管の出口の周辺抵抗を計算する、請求項１２に記載のシステム。
【請求項１４】
前記狭窄抵抗決定器が、前記出口における前記速度に対する、前記入口における前記圧力から前記出口における前記圧力を引いたものの比として前記狭窄抵抗を計算する、請求項１３に記載のシステム。
【請求項１５】
請求項１乃至１１のいずれか１項に記載の方法の各ステップをプロセッサに実行させるコンピュータ可読命令によって符号化されたコンピュータ可読記憶媒体。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
熱歪から組織温度を導出する装置であって、
超音波イメージングプローブと、
被験体内において、温度センサが配置される位置を囲む領域における熱歪を測定するために前記プローブを介して超音波を使用するように構成される熱歪測定モジュールと、
前記センサが前記被験体の内部にある間、前記センサを介して、前記センサで温度を測るように構成される温度測定モジュールと、
係数を較正するように構成される患者特有熱歪・温度変化比例較正モジュールであって、前記較正は、前記温度測定モジュールの出力から導出される前記位置における温度パラメータの測定及び前記歪測定モジュールを介して得られる前記位置における熱歪の測定に基づく、患者特有熱歪・温度変化比例較正モジュールと
を有し、
前記装置は、前記他の位置に対して、他の温度パラメータを評価する際に、前記領域内における他の位置から導出される熱歪測定とともに前記較正係数を使用するように構成され、
前記装置は、(i)熱モデルに、前記他の温度を入力し、前記モデルからの出力に基づいて、前記他の位置で現在のアブレーション温度を決定するように構成され、及び／又は(ii)前記領域において加熱をモニタリングし、前記モニタリングを、熱歪の前記測定及び前記較正係数に基づかせるように構成される、
装置。
【請求項２】
前記囲まれた位置を加熱するように構成される治療送達デバイスを有する、請求項１に記載の装置。
【請求項３】
前記デバイスは、前記センサを含み、前記被験体に治療を送達するように構成される、請求項２に記載の装置。
【請求項４】
前記デバイスは、前記センサが配置される端部を有するタインを有する高周波アブレーション電極を有する、請求項３に記載の装置。
【請求項５】
前記モニタリングは、前記領域において、前記他の位置及び前記囲まれた位置以外の複数の位置において動作し、前記複数の位置に適用される固定パラメータとして前記較正係数に基づく、請求項１に記載の装置。
【請求項６】
前記センサを有する治療送達デバイスを有し、前記領域は第一の領域であり、前記デバイスは第二の温度センサを更に有し、前記被験体内において、前記第二のセンサを囲む第二の領域及び前記第一の領域において加熱を並列にモニタリングするように構成され、前記第二の領域のための第二の係数を較正するように更に構成される、請求項５に記載の装置。
【請求項７】
表示デバイスを更に有し、前記表示デバイスを介して、前記複数の位置における温度上昇を表すマップと前記複数の位置を囲む超音波画像との両方を同時に描写するように構成され、前記装置は、前記較正係数に基づいて前記温度上昇を計算するように更に構成される、請求項５に記載の装置。
【請求項８】
前記描写は前記マップ及びオーバラップするレジストレーションにおける前記画像を示す、請求項７に記載の装置。
【請求項９】
治療送達デバイスを有し、前記デバイスによる加熱が摂氏50度より低い最大温度より低く保たれる前記センサ位置における温度をもたらす係数較正動作モードで構成され、前記モードは、前記使用、前記測定、及び前記較正のために動作可能である、請求項１に記載の装置。
【請求項１０】
治療モニタリングモジュールを有し、前記装置は、前記デバイスによる加熱が摂氏55度より高い最小温度より高く保たれる前記センサ位置における温度をもたらす体組織アブレーションモードで構成され、前記治療モニタリングモジュールは、アブレーションモード加熱において、前記較正係数に基づいて動作するように構成される、請求項９に記載の装置。
【請求項１１】
ユーザ介入の必要なしに、前記係数較正モードから前記体組織アブレーションモードまで自動的に移行するように構成される、請求項１０に記載の装置。
【請求項１２】
前記他の温度パラメータは温度差である、請求項１に記載の装置。
【請求項１３】
前記較正は、熱歪の前記測定によって温度パラメータの前記測定を除することを必要とする、請求項１に記載の装置。
【請求項１４】
前記超音波の使用は、超音波を送出し、前記領域の組織における熱的に誘導される見かけの変位を計算し、前記囲まれた位置における熱歪の前記測定をするために、結果としてもたらされるエコーを相互相関させ、前記送出される超音波の軸方向において、前記変位の各々の一つの変化率を検出することを含む、請求項１に記載の装置。
【請求項１５】
患者特有熱歪・温度変化比例較正のためのプログラムを実現するコンピュータ読取り可能な媒体であって、前記プログラムは、複数の動作を実行するためのプロセッサによって実行可能な命令を有し、前記複数の動作は、
治療被験体内において、温度センサが配置される位置を囲む領域における熱歪を測定するために超音波を使用し、
前記センサが前記被験体の内部にある間、前記センサで温度を測定し、
前記位置における温度パラメータの測定及び前記位置における熱歪の測定に基づいて係数を較正し、
前記他の位置に対して、他の温度パラメータを評価する際に、前記領域内における他の位置から導出される熱歪測定とともに前記較正係数を使用し、
(i)熱モデルに、前記他の温度を入力し、前記モデルからの出力に基づいて、前記他の位置で現在のアブレーション温度を決定し、及び／又は
(ii)前記領域において加熱をモニタリングし、前記モニタリングを、熱歪の前記測定及び前記較正係数に基づかせる
動作を含む、コンピュータ読取り可能な媒体。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
解析的な医療パラメータに基づいて医療用流体処理機械の作動パラメータを決定する段階と、
患者の１又は２以上の個人的特性に関する患者評価情報を受信する段階であって、前記患者評価情報が、看護患者評価及び／又は修正版バーセル指数評価を含んでいる段階と、
前記受信した患者評価情報に基づいて患者評価スコアを決定する段階と、
前記患者評価スコアに基づいて決定された前記医療用流体処理機械の作動パラメータを修正する段階と、を含む、
ことを特徴とする方法。
【請求項２】
前記医療用流体処理機械の作動パラメータを修正する段階が、該医療用流体処理機械の作動パラメータを調節する段階を含む、
請求項１に記載の方法。
【請求項３】
前記医療用流体処理機械の作動パラメータが、血流量、限外濾過率、血圧モニタ率、及び血管アクセスモニタを含む、
請求項２に記載の方法。
【請求項４】
前記医療用流体処理機械の作動パラメータを修正する段階が、該医療用流体処理機械の作動パラメータの調節を提案するメッセージを表示させる段階を含む、
請求項１に記載の方法。
【請求項５】
前記メッセージに応答して入力を受信する段階と、
前記入力の受信時に、前記提案に従って前記作動パラメータを調節する段階と、を更に含む、
請求項４に記載の方法。
【請求項６】
前記患者評価情報は、
特定の期間にわたる前記患者の生存率と、
前記患者のセルフケア及び運動性に関連する情報と、
前記患者のニーズ、好み、及び能力に関連する情報と、を含む、
請求項１に記載の方法。
【請求項７】
特定期間にわたる前記患者の生存率は、年齢調節型チャールソン併存疾患指数と該患者の血液中のアルブミンの濃度とに基づいており、
前記患者のニーズ、好み、及び能力に関連する情報は、胃腸症状、呼吸窮迫、疼痛、運動性、慢性透析間筋痙攣、皮膚色及び一体性、浮腫、血管アクセス、及び精神状態の変化に関連する情報を含み、および/または、
前記患者のセルフケアまたは運動性に関連する前記情報は、椅子又はベッド移動能力、歩行依存性、車椅子依存性、階段昇降能力、トイレ移動能力、排便コントロール、排尿コントロール、入浴能力、着替え能力、個人衛生維持能力、及び摂食能力に関連する情報を含む、
請求項６に記載の方法。
【請求項８】
前記患者評価スコアに基づいて前記患者に特定の介護者を割り当てる段階を更に含む、
請求項１に記載の方法。
【請求項９】
前記医療用流体処理機械は、血液処理機械、血液透析機械、または腹膜透析機械である、
請求項１に記載の医療用流体処理機械。
【請求項１０】
医療用流体処理機械であって、
医療用流体を患者にかつ患者からポンピングするように構成されたポンプと、
前記患者の１又は２以上の個人的特性に関する患者評価情報を受信するように構成された入力デバイスであって、前記患者評価情報が、看護患者評価及び／又は修正版バーセル指数評価を含んでいる入力デバイスと、
前記ポンプと前記入力デバイスとに通信する制御ユニットと、を含み、
前記制御ユニットは、
解析的な医療パラメータに基づいて決定された作動パラメータにしたがって流体処理機械を制御するように構成され、
受信した前記患者評価情報に基づいて患者評価スコアを決定し、かつ
決定した前記患者評価スコアに基づいて医療用流体処理機械の作動パラメータを修正する、ように構成されている、
ことを特徴とする医療用流体処理機械。
【請求項１１】
医療用流体処理機械の作動パラメータを修正することが、医療用流体処理機械の作動パラメータを調節することを含む、
請求項１０に記載の医療用流体処理機械。
【請求項１２】
医療用流体処理機械の作動パラメータが、血流量、限外濾過率、血圧モニタ率、及び血管アクセスモニタを含む、
請求項１１に記載の医療用流体処理機械。
【請求項１３】
ディスプレイを更に含み、
医療用流体処理機械の作動パラメータを修正することが、医療用流体処理機械の作動パラメータの調節を提案するメッセージを前記ディスプレイ上に表示することを含む、
請求項１０に記載の医療用流体処理機械。
【請求項１４】
前記入力デバイスは、前記メッセージに応答して入力を受信するように更に構成され、前記制御ユニットは、該入力の受信時に前記提案に従って前記作動パラメータを調節するように更に構成される、
請求項１３に記載の医療用流体処理機械。
【請求項１５】
前記患者評価情報は、
特定の期間にわたる前記患者の生存率と、
前記患者のセルフケア及び運動性に関連する情報と、
前記患者のニーズ、好み、及び能力に関連する情報と、を含む、
請求項１０に記載の医療用流体処理機械。
【請求項１６】
特定期間にわたる前記患者の前記生存率は、年齢調節型チャールソン併存疾患指数と該患者の血液中のアルブミンの濃度とに基づき、
前記患者のニーズ、好み、及び能力に関連する前記情報は、胃腸症状、呼吸窮迫、疼痛、運動性、慢性透析間筋痙攣、皮膚色及び一体性、浮腫、血管アクセス、及び精神状態の変化に関連する情報を含み、
前記患者の前記セルフケア及び運動性に関連する前記情報は、椅子又はベッド移動能力、歩行依存性、車椅子依存性、階段昇降能力、トイレ移動能力、排便コントロール、排尿コントロール、入浴能力、着替え能力、個人衛生維持能力、及び摂食能力に関連する情報を含む、
請求項１５に記載の医療用流体処理機械。
【請求項１７】
医療用流体処理機械が、血液処理機械、血液透析機械、または腹膜透析機械である、
請求項１０に記載の医療用流体処理機械。
【請求項１８】
コンピュータプログラムを格納するコンピュータ可読ストレージ媒体であって、
前記コンピュータプログラムは、コンピュータに請求項１の方法を実行させる命令を含んでいる、
ことを特徴とするコンピュータ可読ストレージ媒体。